(57)【要約】【課題】  本発明は、最少数の構成品５件を用いて、「解体可能で緩まないユニットシステムボルト・ナット」を構成し、在来不可能とされていた問題点を根本的に解決する。【解決手段】  正ボルト、逆ボルトの２つの機能を持った１本の専用ボルトの正ボルト部を締結体に通し、正ナットで被締結体を締結する。締結し終えた正ナットの上面に座当を当て、そこに第４部品を通し逆ナットで押さえ終える。第４部品の重複しない長方形片を正ナットの側面に９０度曲げる。六角仰線が正ナットと逆ナットの仰角線に合致しない時、逆ナットを仰角線が正ナットの仰角に合致するまで増し締めする。第４部品の直立している長方形片を逆ナットの側面に９０度曲げる。【選択図】図１
2017036821.tif 000002
【特許請求の範囲】
【請求項１】
前文の１
本願書は、『「四つの異なる［請求項］」解体可能で緩まないユニット・コンストラクション・システムのボルトとナット』の発明に関するものであるが、｛〔「文章・記述」が複雑なので『「表示」と「文章・記述」』の前後〕に、又〔「文章・記述中」に、『「記号・数字・文字の表示、又はこれ等を併用した記述」』を用い、『「重複する文章・記述を明確且つ簡潔に」し、時系列も整え』て記述しました、「文章・記述」を細分する必要が有る場合は、｛〔『「表示」、「文章・記述」』に「‐（接続助詞の記号）」を附〕し、〔連続して『内容を細分した「記号・数字・文字又はこれ等を併用した表示」』で文章・記述〕｝を作成しました
前文の２
『「表示」、「文章・記述」』の実際。
2017036821.tif 000003
2017036821.tif 000004
2017036821.tif 000005
2017036821.tif 000006
2017036821.tif 000007
2017036821.tif 000008
2017036821.tif 000009
2017036821.tif 000010
2017036821.tif 000011
2017036821.tif 000012
2017036821.tif 000013
2017036821.tif 000014
2017036821.tif 000015
2017036821.tif 000016
2017036821.tif 000017
2017036821.tif 000018
2017036821.tif 000019
2017036821.tif 000020
2017036821.tif 000021
2017036821.tif 000022
2017036821.tif 000023
2017036821.tif 000024
2017036821.tif 000025
2017036821.tif 000026
2017036821.tif 000027
2017036821.tif 000028
2017036821.tif 000029
2017036821.tif 000030
2017036821.tif 000031
2017036821.tif 000032
2017036821.tif 000033
2017036821.tif 000034
2017036821.tif 000035
2017036821.tif 000036
2017036821.tif 000037
2017036821.tif 000038
2017036821.tif 000039
【請求項２】
2017036821.tif 000040
2017036821.tif 000041
2017036821.tif 000042
2017036821.tif 000043
2017036821.tif 000044
2017036821.tif 000045
2017036821.tif 000046
2017036821.tif 000047
2017036821.tif 000048
2017036821.tif 000049
2017036821.tif 000050
2017036821.tif 000051
2017036821.tif 000052
2017036821.tif 000053
【請求項３】
2017036821.tif 000054
2017036821.tif 000055
2017036821.tif 000056
2017036821.tif 000057
2017036821.tif 000058
2017036821.tif 000059
2017036821.tif 000060
2017036821.tif 000061
2017036821.tif 000062
2017036821.tif 000063
2017036821.tif 000064
2017036821.tif 000065
2017036821.tif 000066
【請求項４】
2017036821.tif 000067
2017036821.tif 000068
2017036821.tif 000069
2017036821.tif 000070
2017036821.tif 000071
2017036821.tif 000072
2017036821.tif 000073
2017036821.tif 000074
2017036821.tif 000075
2017036821.tif 000076
2017036821.tif 000077
2017036821.tif 000078
2017036821.tif 000079
2017036821.tif 000080
【発明の詳細な説明】
【技術分野】
【０００１】  本発明は、締結に用いた正ナットを緩まなくすることを図った「解体可能で緩まないユニットシステムボルト・ナット」に関するものである。
【背景技術】
【０００２】  正ナットを緩み難くした従来の技術・方法は、
１  正ナットに工夫を付加する
２  正ナットに併用すいる座金に工夫を付加する
３  締結体（ボルト・ナット）貫通する穴を空け、この穴にピンを打ち込むか割りピンを通す
４  締結体と被締結体に跨る鍵溝を形成し、この鍵溝に鍵片を打ち込む
等が大方であった。
「正ボルトに正ナットを用いて締結した」正ナットを緩まなくすることは今まで不可能とされた技術であった。
ハードロックナットも、「正ナットの形状に工夫を付加して、締結した正ナットを緩み難くしただけ」のナットなので必ず緩む。唯一「正ナットを緩まなくする技術」は締結したナットを溶接することであった。然しこの技術は解体するときに煩雑さと弊害を伴い汎用としての利用度は極めて少なかった。【０００３】  溶接以外の技術で締結に用いたナットの緩みを止める技術は、
１  締結した箇所のボルト・ナットを押し潰す
２  「締結したボルトとナットの二つに跨る溝を形成し、その溝にキーを打ちむぐらいしか無かった。
以上の技術も実施するのに複雑な技術を要し、解体するときに弊害を伴い汎用としての利用度は極めて少なかった。【０００４】  ハードロックナットは、「正ボルトに用いる正ナット」なので必ず緩む。然も「ハードロックナット」はボルトに横圧力（横張力）を加えて正ナットを緩み難くする技術なので「ボルトが保有している性能」を低下させると云う構造力学上の欠陥が有る。【０００５】  また、ボルトやナットに樹脂剤や接着剤を塗布する技術も、ナットを緩み難くするだけの方法なので緩み止めの技術では無い。
【先行技術文献】
【特許文献】
【０００６】
【特許文献１】  特許公開２０００−２７４４１７
【０００７】
【特許文献２】  特許公開２００４−３２４８２０
【０００８】
【特許文献３】  特許公開２００６−２６６４９１
【０００９】
【特許文献４】  特許公開２００７−１４７００８
【００１０】
【非特許文献】
【非特許文献】  ２００５年１２月１４日  西日本新聞  佐賀大学教授  西田  新一  氏と佐賀鉄工所    （佐賀市）、船舶エンジン修理会社大喜工業（北九州市）の二社が研究開発した、「スーパーロックボルト」の記事
【発明の概要】
【発明が解決しようとする課題】
【００１１】  以上に述べた（締結体＝ボルト・ナット）の緩み止め技術は、理論的に「実用上の緩め止め」に当たらない。正ボルトに正ナットを用いて正ナットが緩むのを止めることは、理論的に不可能だった」のである。【００１２】  本発明は、簡単なユニットシステムだが、在来不可能とされていた問題点を根本的に解決したローテクだが「高度なノウハウ・ソフトウエア」を発明し「最少数の構成品５件を用いてユニットシステム化」して構成した「解体可能で緩まないユニットシステムボルト・ナット」で、
１  正ナットが緩むのを止め
２  締結に要する作業時間も殆んど従来通り
３  然も安価なコストで
４  より安全な締結体を提供する
ことを目的にしたものである。
【課題を解決するための手段】１−（１）【００１３】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００１４】  ［課題を解決するための手段］［００１３］は、以下「（［請求項１］・請求項２］・請求項３］・［請求項４］）の四つの異なるユニットシステム」を、（１）又は（２）で構成する内の一つ［請求項１］（１）を説明する。【００１５】  ［請求項１］２（１）と［請求項１］３（１）で被締結体を締結し、【００１６】  ｛〔『［請求項１］※１３（１）の形成を可能にさせた発明考案の原理「無形の最重要技術（ノウハウ・ソフトウエア）＝［請求項１］＊４（１）」』〕＝〔『「［請求項１］「プレス切断用金型」を製作する「プレス切断用金型製作法」』〕｝で【００１７】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体』［請求項１］※５（１）〕の、「［図１］※５（１）参照」【００１８】  ［図１］１−※５（１）の▲１▼▲２▼▲３▼▲４▼▲５▼▲６▼を、被締結体を締結し終えた［請求項１］３（１）底面の中心角６０度線が中分けする［請求項１］３（１）の六つの側面にＬ形最重要技術（ノウハウ・ソフトウエア）」を［請求項１］※５（１）に付加して【００１９】  ［請求項１］※７（１）を形成し、［請求項１］※７（１）を被締結体を締結し終えた［請求項１］３（１）に被せれば、［請求項１］※７（１）は［請求項１］３（１）底面の中心角６０度線が中分けする［請求項１］３（１）の六つの側面の左側１／２を抱き抱える【００２０】  ［００１９］を挿むように締め込む〔「［請求項１］８（１）」＝「［請求項２］８（１）・［請求項３］８（１）・［請求項４］８（１）に共通する構成品）」〕は、下記の技術を包含する。
（１）  外形は、［請求項１］３（１）と同一に形成し、「［請求項１］＊６（１）・［請求項１］＊１０（１）・［請求項１］＊１２（１）」を付加して［請求項１］※１３（１）に形成する技術を助長する、
（２）  前項（１）以外は、［請求項１］８（１）の底面の垂直軸上方向に［請求項１］２−１（１）のねじ山三つ分をしっくり被る中空円筒を形成、
（３）  前項（２）は、［請求項１］２−１（１）が被締結箇所の厚さ増に対応する巾を［請求項１］２−１（１）のねじ山三つ分増まで調整可能にし、
（４）  前項（３）の垂直軸上方向に［請求項１］２−１−１（１）に適合する逆雌ねじを形成する。
（５）  ［請求項１］８（１）に加えるトルクは、［請求項１］※１３（１）を挿み締め込むナットなので［請求項１］３（１）に加えるトルクより小さくて良い。【００２１】  ［００２０］で締め込んだ［００１９］は［請求項１］３（１）を固定し、［００１９］の稜と［請求項１］３（１）の稜は必然的に合致する。【００２２】  ［００２１］の段階で、［００２０］の稜が［００１９］の稜に合致しない場合は、［請求項１］＊１０（１）と［請求項１］※１１（１）の技術を付加・実施し［００１９］の稜と［００２０］の稜を合致させる、
この段階で、「［請求項１］３（１）・［請求項１］※１１（１）・［請求項１］８（１）」三構成品の全ての稜は合致する。【００２３】  次に、［図１］１−※５（１）の▲７▼▲８▼▲９▼▲１０▼▲１１▼▲１２▼を、［請求項１］※１１（１）を締め終えた［請求項１］８（１）底面の中心角６０度線が中分けする［請求項１］８（１）の六つの側面に［００１８］対比逆Ｌ型を形成するように９０度曲げる」と云う「［請求項１］＊１２（１）＝一連の無形最重要技術（ノウハウ・ソフトウエア）」を［請求項１］※１１（１）に付加して【００２４】  ［００２３］は、『［請求項１］８（１）底面の中心角６０度線が中分けする［請求項１］８（１）の六つの側面をしっくり抱き抱え「［請求項１］３（１）と［請求項８（１）を一体」に固定し［請求項１］３（１）を緩まなくした、［請求項１］※１３（１）を形成する。【００２５】  ［００２４］の解体は、「（［請求項１］※１３（１）」から（［請求項１］※７（１）まで各項の逆技術を実施して戻し、（［請求項１］※７（１）」を（［請求項１］２−１（１）」から撤去する。【００２６】  ［００２５］は、安全を確保するため再使用しないで、新品に交換する。
【課題を解決するための手段】１−（２）【００２７】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００２８】  ［課題を解決するための手段］１−（２）［００２７］は、以下『（［請求項１］・［請求項２］・［請求項３］・［請求項４］）の「四つの異なるユニットシステム」を（１）又は（２）で構成する内の［請求項１］（２）を説明する。【００２９】  ［請求項１］２（２）と［請求項１］３（２）で被締結体を締結し、【００３０】  ｛〔『［請求項１］※１３（２）の形成を可能にさせた発明考案の原理「無形の最重要技術（ノウハウ・ソフトウエア）＝［請求項１］＊４（２）」』〕＝〔『「［請求項１］※１３（２）を平面体に展開した［請求項１］※５（２）」をプレス切断する「プレス切断用金型」を製作する「プレス切断用金型製作法」』〕｝で【００３１】  製作した「プレス切断用金型」でプレス切断し形成した「［請求項１］※５（２）」＝『四つの異なるシステム「［請求項１］※１３（２）・［請求項２］※１３（２）・［請求項３］※１３（２）・［請求項４］※１３（２）」に共通して用いることが可能な平面体に展開させ得た形成体〕を、被締結体を締結し終えた［請求項１］３（２）に達するまで［請求項１］２−（２）に通し【００３２】  ［図１］１−※５（２）の▲１▼▲２▼▲３▼▲４▼▲５▼▲６▼を、被締結体を締結し終えた［請求項１］３（２）底面の中心角６０度線が中分けする［請求項１］３（２）の六つの側面にＬ型を形成するように９０度曲げる」と云う「［請求項１］＊６（２）＝一連の無形最重要技術（ノウハウ・ソフトウエア）」を［請求項１］※５（２）に付加して【００３３】  ［請求項１］※７（２）を形成させた［請求項１］※７（２）を、被締結体を締結し終えた［請求項１］３（２）に被せれば、［請求項１］※７（２）は［請求項１］３（２）底面の中心角６０度線が中分けする［請求項１］３（２）の六つの側面の左側１／２を抱き抱える【００３４】  ［００３３］を挿むように締め込む〔［請求項１］８（２）＝「［請求項２］８（２）・［請求項３］８（２）・［請求項４］８（２）に共通する構成品）」〕は、下記の技術を包含する。
（１）  外形は、［請求項１］３（２）と同一に形成し、「［請求項１］＊６（２）・［請求項１］＊１０（２）・［請求項１］＊１２（２）」を付加して［請求項１］※１３（２）に形成する技術を助長する、
（２）  前項（１）以外は、［請求項１］８（２）の底面の垂直軸上方向に［請求項１］２−１（２）のねじ山三つ分をしっくり被る中空円筒を形成、
（３）  前項（２）は、［請求項１］２−１（２）が被締結箇所の厚さ増に対応する巾を［請求項１］２−１（２）のねじ山三つ分増まで調整可能にし、
（４）  前項（３）の垂直軸上方向に［請求項１］２−１−１（２）に適合する逆雌ねじを形成する。
（５）  ［請求項１］８（２）に加えるトルクは、［請求項１］※１３（２）を挿み締め込むナットなので［請求項１］３（２）に加えるトルクより小さくて良い。【００３５】  ［００３４］で締め込んだ［００３３］は［請求項１］３（２）を固定し、［００３３］の稜と［請求項１］３（２）の稜は必然的に合致する。【００３６】  ［００３４］の段階で、［００３４］の稜が［００１９］の稜に合致しない場合は、［請求項１］＊１０（２）と［請求項１］※１１（２）の技術を付加・実施し
［００１９］の稜と［００２０］の稜を合致させる、
この段階で、「［請求項１］３（２）・［請求項１］※１１（２）・［請求項１］８（２）」三構成品の全ての稜は合致する。【００３７】  次に、［図１］１−※５（２）の▲７▼▲８▼▲９▼▲１０▼▲１１▼▲１２▼を、『「［請求項１］※１１（２）を締め終えた［請求項１］８（２）底面の中心角６０度線が中分けする［請求項１］８（２）の六つの側面に［００１８］対比逆Ｌ型を形成するように９０度曲げる」と云う「［請求項１］＊１２（２）＝一連の無形最重要技術（ノウハウ・ソフトウエア）」』
を［請求項１］※１１（２）に付加して【００３８】  ［００３７］は、『［請求項１］８（２）底面の中心角６０度線が中分けする［請求項１］８（２）の六つの側面の右側１／２をしっくり抱き抱え「［請求項１］３（２）と［請求項８（２）を一体」に固定し［請求項１］３（２）を緩まなくした、［請求項１］※１３（２）を形成する。【００３９】  ［００３８］の解体は、「［請求項１］※１３（２）から［請求項１］※７（２）まで」各項の逆技術を実施して［請求項１］※７（２）に戻し、（［請求項１］※７（２）を［請求項１］２−１（２）から撤去する．。【００４０】  ［００３８］は、安全を確保するため再使用しないで、新品に交換する。
【課題を解決するための手段】２−（１）【００４１】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００４２】  ［課題を解決するための手段］［００４１］は、以下『（［請求項１］・［請求項２］・［請求項３］・［請求項４］）の「四つの異なるユニットシステム」を（１）又は（２）で構成する内の［請求項２］（１）を説明する。【００４３】  ［請求項２］２（１）と［請求項２］３（１）で被締結体を締結し、【００４４】  ｛〔『［請求項２］※１３（１）の形成を可能にさせた発明考案の原理「無形の最重要技術（ノウハウ・ソフトウエア）＝『［請求項２］※１３（１）の形成を可能にした［請求項２］＊４（１）」』＝『「［請求項２］※１３（１）を平面体に展開した［請求項２］※５（１）」をプレス切断する「プレス切断用金型」を製作する「プレス切断用金型製作法」』で【００４５】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体』［請求項２］※５（１）の、「［図２］※５（１）参照」【００４６】  ［図２］※５（１）の▲１▼▲３▼▲５▼▲７▼▲９▼▲１１▼を、被締結体を締結し終えた［請求項２］３（１）底面の中心角６０度線が中分けする［請求項２］３（１）の六つの側面にＬ型を形成するように９０度曲げる」と云う「［請求項２］＊（１）＝一連の無形最重要技術（ノウハウ・ソフトウエア）」を［請求項２］※５（１）に付加して【００４７】  ［請求項２］※７（１）を形成し、［請求項２］※７（１）を被締結体を締結し終えた［請求項２］３（１）に被せれば、［請求項２］※７（１）は［請求項２］３（１）底面の中心角６０度線が中分けする［請求項２］３（１）の六つの側面の左側１／２を抱き抱える【００４８】  ［００４７］を挿むように締め込む〔「［請求項２］８（１）」＝「［請求項１］８（１）・［請求項３］８（１）・［請求項４］８（１）に共通する構成品）」〕は、下記の技術を包含する。
（１）  外形は、［請求項２］３（１）と同一に形成し、「［請求項２］＊６（１）・［請求項２］＊１０（１）・［請求項２］＊１２（１）」を付加して［請求項２］※１３（１）に形成する技術を助長する、
（２）  前項（１）以外は、［請求項２］８（１）の底面の垂直軸上方向に［請求項２］２−１（１）のねじ山三つ分をしっく被りる中空円筒を形成、
（３）  前項（２）は、［請求項２］２−１（１）が被締結箇所の厚さ増に対応する巾を［請求項２］２−１（１）のねじ山三つ分増まで調整可能にし、
（４）  前項（３）の垂直軸上方向に［請求項２］２−１−１（１）に適合する逆雌ねじを形成する。
（５）  ［請求項２］８（１）に加えるトルクは、［請求項２］※１３（１）を挿み締め込むナットなので［請求項２］３（１）に加えるトルクより小さくて良い。【００４９】  ［００４８］で締め込んだ［００４７］は［請求項２］３（１）を固定し、［００４７］の稜と［請求項２］３（１）の稜は必然的に合致する。【００５０】  ［００４８］の段階で、［００４７］の稜が［００４６］の稜に合致しない場合は、［請求項２］＊１０（１）と［請求項２］※１１（１）の技術を付加・実施し［００４６］の稜と［００４７］の稜を合致させる、
この段階で、「［請求項２］３（１）・［請求項２］※１１（１）・［請求項２］８（１）」三構成品の全ての稜は合致する。【００５１】  次に、［図１］※５（１）の▲２▼▲４▼▲６▼▲８▼▲１０▼▲１２▼を、［請求項２］※１１（１）を締め終えた［請求項２］８（１）底面の中心角６０度線が中分けする［請求項２］８（１）の六つの側面に［００４６］対比逆Ｌ型を形成するように９０度曲げる」と云う「［請求項２］＊１２（１）＝一連の無形最重要技術（ノウハウ・ソフトウエア）」を［請求項２］※１１（１）に付加して【００５２】  ［００５１］は、『［請求項２］８（１）底面の中心角６０度線が中分けする［請求項２］８（１）の六つの側面をしっくり抱き抱え「［請求項２］３（１）と［請求項２］８（１）を一体」に固定し［請求項２］３（１）を緩まなくした、［請求項２］※１３（１）を形成する。【００５３】  ［００５２］の解体は、「（［請求項２］※１３（１）」から（［請求項２］※７（１）まで各項の逆技術を実施して戻し、（［請求項２］※７（１）」を（［請求項２］２−１（１）」から撤去する．。【００５４】  ［００５３］は、安全を確保するため再使用しないで、新品に交換する。
【課題を解決するための手段】２−（２）【００５５】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００５６】  ［課題を解決するための手段］２−（２）［００５４］は、以下『（［請求項２］・［請求項２］・［請求項３］・［請求項４］）の「四つの異なるユニットシステム」を（１）又は（２）で構成する内の［請求項２］（２）を説明する。【００５７】  ［請求項２］２（１）と［請求項２］３（１）で被締結体を締結し、【００５８】  ｛〔『［請求項２］※１３（１）の形成を可能にさせた発明考案の原理、「無形の最重要技術（ノウハウ・ソフトウエア）＝［請求項２］＊４（１）」』〕＝〔『「［請求項２］※１３（１）を平面体に展開した［請求項２］※５（１）」をプレス切断する「プレス切断用金型」を製作する「プレス切断用金型製作法」』〕｝で【００５９】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体』［請求項２］※５（１）〕の、「［図１］※５（１）参照」【００６０】  ［図１］※５（２）の▲２▼▲４▼▲６▼▲８▼▲１０▼▲１２▼を、被締結体を締結し終えた［請求項２］３（１）底面の中心角６０度線が中分けする［請求項２］３（１）の六つの側面にＬ型を形成するように９０度曲げる」と云う「［請求項２］＊６（１）＝一連の無形最重要技術（ノウハウ・ソフトウエア）」を［請求項２］※５（１）に付加して【００６１】  ［請求項２］※７（１）を形成させた［請求項２］※７（１）を、被締結体を締結し終えた［請求項２］３（１）に被せれば、［請求項２］※７（１）は［請求項２］３（１）底面の中心角６０度線が中分けする［請求項２］（１）の六つの側面の右側１／２をしっくり抱き抱える【００６２】  ［００６０］を挿むように締め込む『［請求項２］８（１）＝「［請求項２］８（１）・［請求項３］８（１）・［請求項４］８（１）に共通する構成品」』は、下記の技術を包含する、
（１）  外形は、［請求項２］３（１）と同一に形成し、「［請求項２］＊６（１）・［請求項２］＊１０（１）・［請求項２］＊１２（１）」を付加して［請求項２］※１３（１）に仕上がるのを助長し、
（２）  前項（１）以外は、［請求項２］８（１）の底面の垂直軸上方［請求項２］２−１（１）のねじ山三つ分をしっくり被る中空円筒を形成、
（３）  前項（２）は、［請求項２］２−１（１）が被締結箇所の厚さ増に対応する巾を［請求項２］２−１（１）のねじ山三つ分増まで調整可能にし、
（４）  前項（３）の垂直軸上方向に［請求項２］２−１−１（１）に適合する逆雌ねじを形成、
（５）  ［請求項２］８（１）に加えるトルクは、［請求項２］※１３（１）を挿み締め込むナットなので［請求項２］３（１）に加えるトルクより小さくて良い。【００６３】［００６２］で締め込んだ［００６１］は［請求項２］３（１）を固定し、［００６１］の稜と［請求項２］３（１）の稜は必然的に合致する。【００６４】  ［００６３］の段階で、［００６２］の稜が［００６１］の稜に合致しない場合は、［請求項２］＊１０（１）と［請求項２］※１１（１）の技術を付加・実施し［００６１］の稜と［００６２］の稜を合致させる、
この段階で、「［請求項２］３（１）・［請求項２］※１１（１）・［請求項２］８（１）」三構成品の全ての稜は合致する。【００６５】  次に、［図１］※１１（１）の▲１▼▲３▼▲５▼▲７▼▲９▼▲１１▼を、『「［請求項２］※１１（１）を締め終えた［請求項２］８（１）底面の中心角６０度線が中分けする［請求項２］８（１）の六つの側面に［００６３］対比逆Ｌ型を形成するように９０度曲げる」と云う「［請求項２］＊１２（１）＝一連の無形最重要技術（ノウハウ・ソフトウエア）」』【００６６】  ［００６５］は、『［請求項２］８（１）底面の中心角６０度線が中分けする［請求項２］８（１）の六つの側面の右側１／２をしっくり抱き抱え「［請求項２］３（１）と［請求項２］８（１）を一体」に固定し［請求項２］３（１）を緩まなくした、［請求項２］※１３（１）を形成する。【００６７】  ［００６６］の解体は、「［請求項２］※１３（１）から［請求項２］※７（１）まで各項の逆技術を実施して［請求項２］※７（１）に戻し、（［請求項２］※７（１）を［請求項２］２−１（１）から撤去する．。【００６８】  ［００６７］は、安全を確保するため再使用しないで、新品に交換する。
【課題を解決するための手段】３−（１）【００６９】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００７０】  ［課題を解決するための手段］２−（２）［００６８］は、以下『（［請求項１］・［請求項２］・［請求項３］・［請求項４］）の「四つの異なるユニットシステム」を（１）又は（２）で構成する［請求項２］（２）を説明する。【００７１】［請求項２］２（２）と［請求項２］３（２）で被締結体を締結し、【００７２】  〔『［請求項２］※１３（２）の形成を可能にさせた発明考案の原理、「無形の最重要技術（ノウハウ・ソフトウエア）＝［請求項２］＊４（２）」』＝『「［請求項２］※１３（２）を平面体に展開した［請求項２］※５（２）」をプレス切断する「プレス切断用金型」を製作する「プレス切断用金型製作法」』〕で【００７３】  製作した「プレス切断用金型」でプレス切断し形成した〔『四つの異なるシステム「［請求項１］※１３（２）・［請求項２］※１３（２）・［請求項３］※１３（２）・［請求項４］※１３（２）」に共通して用いることが可能な平面体に展開させ得た形成体』［請求項２］※５（２）〕の、「［図１］※５（２）参照」【００７４】  ［図１］※５（２）の▲７▼▲８▼▲９▼▲１０▼▲１１▼▲１２▼を、被締結体を締結し終えた［請求項２］３（２）底面の中心角６０度線が中分けする［請求項２］３（２）の六つの側面にＬ型を形成するように９０度曲げる」と云う「［請求項２］＊６（２）＝一連の無形最重要技術（ノウハウ・ソフトウエア）」を［請求項２］※５（２）に付加して【００７５】  ［請求項２］※７（２）を形成させた［請求項２］※７（２）を、被締結体を締結し終えた［請求項２］３（２）に被せれば、［請求項２］※７（２）は［請求項２］３（２）底面の中心角６０度線が中分けする［請求項２］３（２）の六つの側面の右側１／２をしっくり抱き抱える【００７６】  ［００７５］を挿むように締め込む『［請求項２］８（２）＝「［請求項１］８（２）・［請求項３］８（２）・［請求項４］８（２）に共通する構成品」』は、下記の技術を包含する、
（１）  外形は、［請求項２］３（２）と同一に形成し、「［請求項２］＊６（２）・［請求項２］＊１０（２）・［請求項２］＊１２（２）」を付加して［請求項２］※１３（２）に仕上がるのを助長し、
（２）  前項（１）以外は、［請求項２］８（２）の底面の垂直軸上方向に［請求項２］２−１（２）のねじ山三つ分をしっくり被る中空円筒を形成、
（３）  前項（２）は、［請求項２］２−１（２）が被締結箇所の厚さ増に対応する巾を［請求項２］２−１（２）のねじ山三つ分増まで調整可能にし、
（４）  前項（３）の垂直軸上方向に［請求項２］２−１−１（２）に適合する逆雌ねじを形成、
（５）  ［請求項２］８（２）に加えるトルクは、［請求項２］※１３（２）を挿み締め込むナットなので［請求項２］３（２）に加えるトルクより小さくて良い。【００７７】  ［００７６］で締め込んだ［００７５］は［請求項２］３（２）を固定し、［００７５］の稜と［請求項２］３（２）の稜は必然的に合致する。【００７８】  ［００７７］の段階で、［００７６］の稜が［００７５］の稜に合致しない場合は、［請求項２］＊１０（２）と［請求項２］※１１（２）の技術を付加・実施し［００７５］の稜と［００７６］の稜を合致させる、
この段階で、「［請求項２］３（２）・［請求項２］※１１（２）・［請求項２］８（２）」三構成品の全ての稜は合致する。【００７９】  次に、［図１］※１１（２）の▲１▼▲２▼▲３▼▲４▼▲５▼▲６▼を、『「［請求項２］※１１（２）を締め終えた［請求項２］８（２）底面の中心角６０度線が中分けする［請求項２］８（２）の六つの側面に［００７７］対比逆Ｌ型を形成するように９０度曲げる」と云う「［請求項２］＊１２（２）＝一連の無形最重要技術（ノウハウ・ソフトウエア）」』を［請求項２］※１１（２）に付加して【００８０】  ［００７９］は、『［請求項２］８（２）底面の中心角６０度線が中分けする［請求項２］８（２）の六つの側面の右側１／２をしっくり抱き抱え「［請求項２］３（２）と［請求項２］８（２）を一体」に固定し［請求項２］３（２）を緩まなくした、［請求項２］※１３（２）を形成する。【００８１】  ［００８０］の解体は、「［請求項２］※１３（２）から［請求項２］※７（２）まで」各項の逆技術を実施して［請求項２］※７（２）に戻し、（［請求項２］※７（２）を［請求項２］２−１（２）から撤去する。【００８２】  ［００８１］は、安全を確保するため再使用しないで、新品に交換する。
【課題を解決するための手段】３−（２）【００８３】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００８４】  ［課題を解決するための手段］３−（２）［００８３］は、以下『（［請求項１］・請求項２］・［請求項３］・［請求項４］）の「四つの異なるユニットシステム」を（１）又は（２）で構成する内の［請求項３］（２）を説明する。【００８５】  ［請求項３］２（２）と［請求項３］３（２）で被締結体を締結し、【００８６】  〔『［請求項３］※１３（２）の形成を可能にさせた、発明考案の原理「無形の最重要技術（ノウハウ・ソフトウエア）」＝  ［請求項３］＊４（２）』＝『「［請求項３］※１３（２）を平面体に展開した［請求項３］※５（２）」をプレス切断する「プレス切断用金型」を製作する「プレス切断用金型製作法」』で【００８７】  製作した「プレス切断用金型」でプレス切断し形成した〔『四つの異なるシステム「［請求項１］※１３（２）・［請求項２］※１３（２）・［請求項３］※１３（２）・［請求項４］※１３（２）」に共通して用いることが可能な平面体に展開させ得た形成体』［請求項３］※５（２）〕の、「［図１］※５（２）参照」【００８８】  ［図１］※５（２）の▲２▼▲３▼▲６▼▲７▼▲１０▼▲１１▼数字を、被締結体を締結し終えた［請求項３］３（２）底面の中心角６０度線が中分けする［請求項３］３（２）の六つの側面にＬ型を形成するように９０度曲げる」と云う「［請求項３］＊６（２）＝一連の無形最重要技術（ノウハウ・ソフトウエア）」を［請求項３］※５（２）に付加して【００８９】  ［請求項３］※７（２）を形成させた［請求項３］※７（２）を、被締結体を締結し終えた［請求項３］３（２）に被せれば、［請求項３］※７（２）は［請求項３］３（２）底面の中心角６０度線が中分けする［請求項３］３（２）の六つの側面の右側１／２をしっくり抱き抱える【００９０】  ［００８９］を挿むように締め込む『［請求項３］８（２）＝「［請求項１］８（２）・［請求項２］８（２）・［請求項４］８（１２）に共通する構成品」』は、下記の技術を包含する、
（１）  外形は、［請求項３］３（２）と同一に形成し、「［請求項３］＊６（２）・［請求項３］＊１０（２）・［請求項３］＊１２（２）」を付加して［請求項３］※１３（２）に仕上がるのを助長し、
（２）  前項（１）以外は、［請求項３］８（２）の底面の垂直軸上方向に［請求項３］２−１（２）のねじ山三つ分をしっくり被る中空円筒を形成、
（３）  前項（２）は、［請求項３］２−１（２）が被締結箇所の厚さ増に対応する巾を［請求項３］２−１（２）のねじ山三つ分増まで調整可能にし、
（４）  前項（３）の垂直軸上方向に［請求項３］２−１−１（２）に適合する逆雌ねじを形成、
（５）  ［請求項３］８（２）に加えるトルクは、［請求項３］※１３（２）を挿み締め込むナットなので［請求項３］３（２）に加えるトルクより小さくて良い。【００９１】  ［００９０］で締め込んだ［００８９］は［請求項３］３（２）を固定し、［００９０］の稜と［請求項３］３（２）の稜は必然的に合致する。【００９２】  ［００９１］の段階で、［００９０］の稜が［００８９］の稜に合致しない場合は、［請求項３］＊１０（１）と［請求項３］※１１（１）の技術を付加・実施して［００８９］の稜と［００９０］の稜を合致させる。この段階で「［請求項３］３（２）・［請求項３］※１１（２）・［請求項３］８（２）」三構成品の全ての稜は合致する。【００９３】  次に、［図１］※５（２）の▲４▼▲５▼▲８▼▲９▼▲１２▼▲１▼を、『「［請求項３］※１１（２）を締め終えた［請求項３］８（２）底面の中心角６０度線が中分けする［請求項３］８（２）の六つの側面に［００９２］対比逆Ｌ型を形成するように９０度曲げる」と云う「［請求項３］＊１２（２）＝一連の無形最重要技術（ノウハウ・ソフトウエア）」』を［請求項３］※１１（２）に付加して【００９４】  ［００９３］は、『［請求項３］８（２）底面の中心角で６０度ずれた１２０度線が中分けする［請求項３］８（２）の三つ稜に跨る左右側面１／２をしっくり抱き抱え「［請求項３］３（２）と［請求項３］８（２）を一体」に固定し［請求項３］３（２）を緩まなくした、［請求項３］※１３（２）を形成する。【００９５】  ［００９４］の解体は、「［請求項３］※１３（２）から［請求項３］※７（２）まで」各項の逆技術を実施して［請求項３］※７（２）に戻し、（［請求項３］※７（２）を［請求項３］２−１（２）から撤去する．。【００９６】  ［００９５］は、安全を確保するため再使用しないで、新品に交換する。
【課題を解決するための手段】４−（１）【００９７】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００９８】  ［課題を解決するための手段］４−（１）は、［００９７］以下『（［請求項１］・［請求項２］・［請求項３］・［請求項４］）の「四つの異なるユニットシステム」を（１）又は（２）で構成する内の［請求項４］（１）を説明する。【００９９】  ［請求項４］２（１）と［請求項４］３（１）で被締結体を締結し、【０１００】  〔『［請求項４］※１３（１）の形成を可能にさせた、発明考案の原理「無形の最重要技術（ノウハウ・ソフトウエア）」＝  ［請求項４］＊４（１）『「［請求項４］※１３（１）を平面体に展開した［請求項４］※５（１）」をプレス切断する「プレス切断用金型」を製作する「プレス切断用金型製作法」』で【０１０１】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体』［請求項４］※５（１）〕の、「［図１］※５（１）参照」【０１０２】  ［図１］※５（１）の▲１▼▲２▼▲５▼▲６▼▲９▼▲１０▼を、被締結体を締結し終えた［請求項４］３（１）底面の中心角１２０度線が中分けする［請求項４］３（１）の三つの辺の側面にＬ型を形成するように９０度曲げる」と云う「［請求項４］＊６（１）＝一連の無形最重要技術（ノウハウ・ソフトウエア）」を［請求項４］※５（１）に付加して【０１０３】  ［請求項４］※７（１）を形成させた［請求項４］※７（１）を、被締結体を締結し終えた［請求項４］３（１）に被せれば、［請求項４］※７（１）は［請求項４］３（１）底面の中心角６０度線が中分けする［請求項４］３（１）の六つの側面の右側１／２をしっくり抱き抱える【０１０４】  ［０１０３］を挿むように締め込む『［請求項４］８（１）＝「［請求項１］８（１）・［請求項２］８（１）・［請求項３］８（１）に共通する構成品」』は、下記の技術を包含する、
（１）  外形は、［請求項４］３（１）と同一に形成し、「［請求項４］＊６（１）・［請求項４］＊１０（１）・［請求項４］＊１２（１）」を付加して［請求項４］※１３（１）に仕上がるのを助長し、
（２）  前項（１）以外は、［請求項４］８（１）の底面の垂直軸上方向に［請求項４］２−１（１）のねじ山三つ分をしっくり被る中空円筒を形成、
（３）  前項（２）は、［請求項４］２−１（１）が被締結箇所の厚さ増に対応する巾を［請求項４］２−１（１）のねじ山三つ分増まで調整可能にし、
（４）  前項（３）の垂直軸上方向に［請求項４］２−１−１（１）に適合する逆雌ねじを形成、
（５）  ［請求項４］８（１）に加えるトルクは、［請求項４］※１３（１）を挿み締め込むナットなので［請求項４］３（１）に加えるトルクより小さくて良い。【０１０５】  ［０１０４］で締め込んだ［０１０３］は［請求項４］３（１）を固定し、［０１０３］の稜と［請求項３］３（１）の稜は必然的に合致する。【０１０６】  ［０１０５］の段階で、［０１０４］の稜が［０１０３］の稜に合致しない場合は、［請求項４］＊１０（１）と［請求項４］※１１（１）の技術を付加・実施して［０１０３］の稜と［０１０４］の稜を合致させる。この段階で「［請求項４］３（１）・［請求項４］※１１（１）・［請求項４］８（１）」三構成品の全ての稜は合致する。【０１０７】  次に、［図１］※５（１）の▲３▼▲４▼▲７▼▲８▼▲１１▼▲１２▼を、『「［請求項４］※１１（１）を締め終えた［請求項４］８（１）の三つの側面に［０１０６］］対比逆Ｌ型を形成するように９０度曲げる」と云う「［請求項４］＊１２（１）＝一連の無形最重要技術（ノウハウ・ソフトウエア）」』を［請求項４］※１１（１）に付加・実施して【０１０８】  ［００１０７］は［０１０６］］対比逆Ｌ型を形成し、［請求項４］８（１）の三つの側面をしっくり抱き抱え「［請求項４］３（１）と［請求項４］８（１）を一体」に固定し［請求項４］３（１）を緩まなくした、［請求項４］※１３（１）を形成する。【０１０９】  ［０１０８］の解体は、「［請求項４］※１３（１）から［請求項４］※７（１）まで」各項の逆技術を実施して［請求項４］※７（１）に戻し、（［請求項４］※７（１）を［請求項４］２−１（１）から撤去する。【０１１０】  ［０１０９］は、安全を確保するため再使用しないで、新品に交換する。
【課題を解決するための手段】４−（２）【０１１１】  本発明は［００１２］の目的を達成するために、高度な技術を結集して発明考案した〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【０１１２】  ［課題を解決するための手段］４−（２）［０１１１］は、以下『（［請求項１］・［請求項２］・［請求項３］・［請求項４］）の「四つの異なるユニットシステム」を（１）又は（２）で構成する［請求項４］（２）を説明する。【０１１３】  ［請求項４］２（２）と［請求項４］３（２）で被締結体を締結し、【０１１４】  〔『［請求項４］※１３（２）の形成を可能にさせた、発明考案の原理「無形の最重要技術（ノウハウ・ソフトウエア）」＝  ［請求項４］＊４（２）』『「［請求項４］※１３（２）を平面体に展開した［請求項４］※５（２）」をプレス切断する「プレス切断用金型」を製作する「プレス切断用金型製作法」』で【０１１５】  製作した「プレス切断用金型」でプレス切断し形成した〔『四つの異なるシステム「［請求項１］※１３（２）・［請求項２］※１３（２）・［請求項３］※１３（２）・［請求項４］※１３（２）」に共通して用いることが可能な平面体に展開させ得た形成体』［請求項４］※５（２）〕の、「［図１］※５（２）参照」【０１１６】  ［図１］※５（２）の▲１▼▲２▼▲５▼▲６▼▲９▼▲１０▼を、被締結体を締結し終えた［請求項４］３（２）底面の中心角６０度線が中分けする［請求項４］３（２）の六つの側面にＬ型を形成するように９０度曲げる」と云う「［請求項４］＊６（２）＝一連の無形最重要技術（ノウハウ・ソフトウエア）」を［請求項４］※５（２）に付加・実施して【０１１７】  ［請求項４］※７（２）を形成させた［請求項４］※７（２）を、被締結体を締結し終えた［請求項４］３（２）に被せれば、［請求項４］※７（２）は［請求項４］３（２）底面の中心角６０度線が中分けする［請求項４］３（２）の六つの側面の右側１／２をしっくり抱き抱える【０１１８】  ［０１１７］を挿むように締め込む『［請求項４］８（２）＝「［請求項１］８（２）・［請求項２］８（２）・［請求項３］８（２）に共通する構成品」』は、下記の技術を包含する、
（１）  外形は、［請求項４］３（２）と同一に形成し、「［請求項４］＊６（２）・［請求項４］＊１０（２）・［請求項４］＊１２（２）」を付加して［請求項４］※１３（２）に仕上がるのを助長し、
（２）  前項（１）以外は、［請求項４］８（２）の底面の垂直軸上方向に［請求項４］２−１（２）のねじ山三つ分をしっくり被る中空円筒を形成、
（３）  前項（２）は、［請求項４］２−１（２）が被締結箇所の厚さ増に対応する巾を［請求項４］２−１（２）のねじ山三つ分増まで調整可能にし、
（４）  前項（３）の垂直軸上方向に［請求項４］２−１−１（２）に適合する逆雌ねじを形成、
（５）  ［請求項４］８（２）に加えるトルクは、［請求項４］※１３（２）を挿み締め込むナットなので［請求項４］３（２）に加えるトルクより小さくて良い。【０１１９】  ［０１１８］で締め込んだ［０１１７］は［請求項４］３（２）を固定し、［０１１７］の稜と［請求項２］３（２）の稜は必然的に合致する。【０１２０】  ［０１１９］の段階で、［０１１８］の稜が［０１１７］の稜に合致しない場合は、［請求項４］＊１０（２）と［請求項４］※１１（２）の技術を付加・実施して［０１１７］の稜と［０１１８］の稜を合致させる。この段階で「［請求項４］３（２）・［請求項４］※１１（２）・［請求項４］８（２）」三構成品の全ての稜は合致する。【０１２１】  次に、［図１］※５（２）の▲３▼▲４▼▲７▼▲８▼▲１１▼▲１２▼を、『「［請求項４］※１１（２）を締め終えた［請求項４］８（２）底面の中心角６０度線が中分けする［請求項４］８（２）の六つの側面に［００６２］対比逆Ｌ型を形成するように９０度曲げる」と云「［請求項４］＊１２（２）＝一連の無形最重要技術（ノウハウ・ソフトウエア）」』を［請求項４］※１１（２）に付加して【０１２２】  ［０１２１］は、『［請求項４］８（２）底面の中心角６０度線が中分けする［請求項４］８（２）の六つの側面の右側１／２をしっくり抱き抱え「［請求項４］３（２）と［請求項４］８（２）を一体」に固定し［請求項４］３（２）を緩まなくした、［請求項４］※１３（２）を形成する。【０１２３】  ［０１２２］の解体は、「［請求項４］※１３（２）から［請求項４］※７（２）まで」各項の逆技術を実施して［請求項４］※７（２）に戻し、（［請求項４］※７（２）を［請求項４］２−１（２）から撤去する．。【０１２４】  ［０１２３］は、安全を確保するため再使用しないで、新品に交換する。
【図１】
2017036821.tif 000081
【手続補正書】
【提出日】平成27年10月5日(2015.10.5)
【手続補正１】
【補正対象書類名】明細書
【補正対象項目名】全文
【補正方法】変更
【補正の内容】
【発明の詳細な説明】
【技術分野】
【０００１】  本発明は、締結に用いた正ナットを緩まなくすることを図った「解体可能で緩まないユニットシステムボルト・ナット」に関するものである。
【背景技術】
【０００２】  正ナットを緩み難くした従来の技術・方法は、
１  正ナットに工夫を付加する
２  正ナットに併用すいる座金に工夫を付加する
３  締結体（ボルト・ナット）貫通する穴を空け、この穴にピンを打ち込むか割りピンを通す
４  締結体と被締結体に跨る鍵溝を形成し、この鍵溝に鍵片を打ち込む
等が大方であった。
「正ボルトに正ナットを用いて締結した」正ナットを緩まなくすることは今まで不可能とされた技術であった。
ハードロックナットも、「正ナットの形状に工夫を付加して、締結した正ナットを緩み難くしただけ」のナットなので必ず緩む。唯一「正ナットを緩まなくする技術」は締結したナットを溶接することであった。然しこの技術は解体するときに煩雑さと弊害を伴い汎用としての利用度は極めて少なかった。【０００３】  溶接以外の技術で締結に用いたナットの緩みを止める技術は、
１  締結した箇所のボルト・ナットを押し潰す
２  「締結したボルトとナットの二つに跨る溝を形成し、その溝にキーを打ちむぐらいしか無かった。
以上の技術も実施するのに複雑な技術を要し、解体するときに弊害を伴い汎用としての利用度は極めて少なかった。【０００４】  ハードロックナットは、「正ボルトに用いる正ナット」なので必ず緩む。然も「ハードロックナット」はボルトに横圧力（横張力）を加えて正ナットを緩み難くする技術なので「ボルトが保有している性能」を低下させると云う構造力学上の欠陥が有る。【０００５】  また、ボルトやナットに樹脂剤や接着剤を塗布する技術も、ナットを緩み難くするだけの方法なので緩み止めの技術では無い。
【先行技術文献】
【特許文献】
【０００６】
【特許文献１】  特許公開２０００−２７４４１７
【０００７】
【特許文献２】  特許公開２００４−３２４８２０
【０００８】
【特許文献３】  特許公開２００６−２６６４９１
【０００９】
【特許文献４】  特許公開２００７−１４７００８
【００１０】
【非特許文献】
【非特許文献】  ２００５年１２月１４日  西日本新聞  佐賀大学教授  西田  新一  氏と佐賀鉄工所  （佐賀市）、船舶エンジン修理会社大喜工業（北九州市）の二社が研究開発した、「スーパーロックボルト」の記事
【発明の概要】
【発明が解決しようとする課題】
【００１１】  以上に述べた（締結体＝ボルト・ナット）の緩み止め技術は、理論的に「実用上の緩め止め」に当たらない。正ボルトに正ナットを用いて正ナットが緩むのを止めることは、理論的に不可能だった」のである。【００１２】  本発明は、簡単なユニットシステムだが、在来不可能とされていた問題点を根本的に解決したローテクだが「高度なノウハウ・ソフトウエア」を発明し「最少数の構成品５件を用いてユニットシステム化」して構成した「解体可能で緩まないユニットシステムボルト・ナット」で、
１  正ナットが緩むのを止め
２  締結に要する作業時間も殆んど従来通り
３  然も安価なコストで
４  より安全な締結体を提供する
ことを目的にしたものである。
【課題を解決するための手段】１−（１）【００１３】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００１４】  ［課題を解決するための手段］［００１３］は、以下「（［請求項１］・請求項２］・請求項３］・［請求項４］）の四つの異なるユニットシステム」を、（１）又は（２）で構成する内の一つ［請求項１］（１）を説明する。【００１５】  ［請求項１］２（１）と［請求項１］３（１）で被締結体を締結し、【００１６】  ｛〔『［請求項１］※１３（１）の形成を可能にさせた発明考案の原理「無形の最重要技術（ノウハウ・ソフトウエア）＝［請求項１］＊４（１）」』〕＝〔『「［請求項１］「プレス切断用金型」を製作する「プレス切断用金型製作法」』〕｝で【００１７】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体』［請求項１］※５（１）〕の、「［図１］参照」【００１８】  ［図１］の▲１▼▲２▼▲３▼▲４▼▲５▼▲６▼を、被締結体を締結し終えた［請求項１］３（１）底面の中心角６０度線が中分けする［請求項１］３（１）の六つの側面にＬ形最重要技術（ノウハウ・ソフトウエア）」を［請求項１］※５（１）に付加して【００１９】  ［請求項１］※７（１）を形成し、［請求項１］※７（１）を被締結体を締結し終えた［請求項１］３（１）に被せれば、［請求項１］※７（１）は［請求項１］３（１）底面の中心角６０度線が中分けする［請求項１］３（１）の六つの側面の左側１／２を抱き抱える【００２０】  ［００１９］を挿むように締め込む〔「［請求項１］８（１）」＝「［請求項２］８（１）・［請求項３］８（１）・［請求項４］８（１）に共通する構成品）」〕は、下記の技術を包含する。
（１）  外形は、［請求項１］３（１）と同一に形成し、「［請求項１］＊６（１）・［請求項１］＊１０（１）・［請求項１］＊１２（１）」を付加して［請求項１］※１３（１）に形成する技術を助長する、
（２）  前項（１）以外は、［請求項１］８（１）の底面の垂直軸上方向に［請求項１］２−１（１）のねじ山三つ分をしっくり被る中空円筒を形成、
（３）  前項（２）は、［請求項１］２−１（１）が被締結箇所の厚さ増に対応する巾を［請求項１］２−１（１）のねじ山三つ分増まで調整可能にし、
（４）  前項（３）の垂直軸上方向に［請求項１］２−１−１（１）に適合
する逆雌ねじを形成する。
（５）  ［請求項１］８（１）に加えるトルクは、［請求項１］※１３（１）を挿み締め込むナットなので［請求項１］３（１）に加えるトルクより小さくて良い。【００２１】  ［００２０］で締め込んだ［００１９］は［請求項１］３（１）を固定し、［００１９］の稜と［請求項１］３（１）の稜は必然的に合致する。【００２２】  ［００２１］の段階で、［００２０］の稜が［００１９］の稜に合致しない場合は、［請求項１］＊１０（１）と［請求項１］※１１（１）の技術を付加・実施し［００１９］の稜と［００２０］の稜を合致させる、
この段階で、「［請求項１］３（１）・［請求項１］※１１（１）・［請求項１］８（１）」三構成品の全ての稜は合致する。【００２３】  次に、［図１］の▲７▼▲８▼▲９▼▲１０▼▲１１▼▲１２▼を、［請求項１］※１１（１）を締め終えた［請求項１］８（１）底面の中心角６０度線が中分けする［請求項１］８（１）の六つの側面に［００１８］対比逆Ｌ型を形成するように９０度曲げる」と云う「［請求項１］＊１２（１）＝一連の無形最重要技術（ノウハウ・ソフトウエア）」を［請求項１］※１１（１）に付加して【００２４】  ［００２３］は、『［請求項１］８（１）底面の中心角６０度線が中分けする［請求項１］８（１）の六つの側面をしっくり抱き抱え「［請求項１］３（１）と［請求項８（１）を一体」に固定し［請求項１］３（１）を緩まなくした、［請求項１］※１３（１）を形成する。【００２５】  ［００２４］の解体は、「（［請求項１］※１３（１）」から（［請求項１］※７（１）まで各項の逆技術を実施して戻し、（［請求項１］※７（１）」を（［請求項１］２−１（１）」から撤去する。【００２６】  ［００２５］は、安全を確保するため再使用しないで、新品に交換する。
【課題を解決するための手段】１−（２）【００２７】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００２８】  ［課題を解決するための手段］１−（２）［００２７］は、以下『（［請求項１］・［請求項２］・［請求項３］・［請求項４］）の「四つの異なるユニットシステム」を（１）又は（２）で構成する内の［請求項１］（２）を説明する。【００２９】  ［請求項１］２（２）と［請求項１］３（２）で被締結体を締結し、【００３０】  ｛〔『［請求項１］※１３（２）の形成を可能にさせた発明考案の原理「無形の最重要技術（ノウハウ・ソフトウエア）＝［請求項１］＊４（２）」』〕＝〔『「［請求項１］※１３（２）を平面体に展開した［請求項１］※５（２）」をプレス切断する「プレス切断用金型」を製作する「プレス切断用金型製作法」』〕｝で【００３１】  製作した「プレス切断用金型」でプレス切断し形成した「［請求項１］※５（２）」＝『四つの異なるシステム「［請求項１］※１３（２）・［請求項２］※１３（２）・［請求項３］※１３（２）・［請求項４］※１３（２）」に共通して用いることが可能な平面体に展開させ得た形成体〕を、被締結体を締結し終えた［請求項１］３（２）に達するまで［請求項１］２−（２）に通し【００３２】  ［図１］１−※５（２）の▲１▼▲２▼▲３▼▲４▼▲５▼▲６▼を、被締結体を締結し終えた［請求項１］３（２）底面の中心角６０度線が中分けする［請求項１］３（２）の六つの側面にＬ型を形成するように９０度曲げる」と云う「［請求項１］＊６（２）＝一連の無形最重要技術（ノウハウ・ソフトウエア）」を［請求項１］※５（２）に付加して【００３３】  ［請求項１］※７（２）を形成させた［請求項１］※７（２）を、被締結体を締結し終えた［請求項１］３（２）に被せれば、［請求項１］※７（２）は［請求項１］３（２）底面の中心角６０度線が中分けする［請求項１］３（２）の六つの側面の左側１／２を抱き抱える【００３４】  ［００３３］を挿むように締め込む〔［請求項１］８（２）＝「［請求項２］８（２）・［請求項３］８（２）・［請求項４］８（２）に共通する構成品）」〕は、下記の技術を包含する。
（１）  外形は、［請求項１］３（２）と同一に形成し、「［請求項１］＊６（２）・［請求項１］＊１０（２）・［請求項１］＊１２（２）」を付加して［請求項１］※１３（２）に形成する技術を助長する、
（２）  前項（１）以外は、［請求項１］８（２）の底面の垂直軸上方向に［請求項１］２−１（２）のねじ山三つ分をしっくり被る中空円筒を形成、
（３）  前項（２）は、［請求項１］２−１（２）が被締結箇所の厚さ増に対応する巾を［請求項１］２−１（２）のねじ山三つ分増まで調整可能にし、
（４）  前項（３）の垂直軸上方向に［請求項１］２−１−１（２）に適合する逆雌ねじを形成する。
（５）  ［請求項１］８（２）に加えるトルクは、［請求項１］※１３（２）を挿み締め込むナットなので［請求項１］３（２）に加えるトルクより小さくて良い。【００３５】  ［００３４］で締め込んだ［００３３］は［請求項１］３（２）を固定し、［００３３］の稜と［請求項１］３（２）の稜は必然的に合致する。【００３６】  ［００３４］の段階で、［００３４］の稜が［００１９］の稜に合致しない場合は、［請求項１］＊１０（２）と［請求項１］※１１（２）の技術を付加・実施し
［００１９］の稜と［００２０］の稜を合致させる、
この段階で、「［請求項１］３（２）・［請求項１］※１１（２）・［請求項１］８（２）」三構成品の全ての稜は合致する。【００３７】  次に、［図１］の▲７▼▲８▼▲９▼▲１０▼▲１１▼▲１２▼を、『「［請求項１］※１１（２）を締め終えた［請求項１］８（２）底面の中心角６０度線が中分けする［請求項１］８（２）の六つの側面に［００１８］対比逆Ｌ型を形成するように９０度曲げる」と云う「［請求項１］＊１２（２）＝一連の無形最重要技術（ノウハウ・ソフトウエア）」』
を［請求項１］※１１（２）に付加して【００３８】  ［００３７］は、『［請求項１］８（２）底面の中心角６０度線が中分けする［請求項１］８（２）の六つの側面の右側１／２をしっくり抱き抱え「［請求項１］３（２）と［請求項８（２）を一体」に固定し［請求項１］３（２）を緩まなくした、［請求項１］※１３（２）を形成する。【００３９】  ［００３８］の解体は、「［請求項１］※１３（２）から［請求項１］※７（２）まで」各項の逆技術を実施して［請求項１］※７（２）に戻し、（［請求項１］※７（２）を［請求項１］２−１（２）から撤去する．。【００４０】  ［００３８］は、安全を確保するため再使用しないで、新品に交換する。
【課題を解決するための手段】２−（１）【００４１】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００４２】  ［課題を解決するための手段］［００４１］は、以下『（［請求項１］・［請求項２］・［請求項３］・［請求項４］）の「四つの異なるユニットシステム」を（１）又は（２）で構成する内の［請求項２］（１）を説明する。【００４３】  ［請求項２］２（１）と［請求項２］３（１）で被締結体を締結し、【００４４】  ｛〔『［請求項２］※１３（１）の形成を可能にさせた発明考案の原理「無形の最重要技術（ノウハウ・ソフトウエア）＝『［請求項２］※１３（１）の形成を可能にした［請求項２］＊４（１）」』＝『「［請求項２］※１３（１）を平面体に展開した［請求項２］※５（１）」をプレス切断する「プレス切断用金型」を製作する「プレス切断用金型製作法」』で【００４５】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体」［請求項２］※５（１）の、「［図１］参照」【００４６】  ［図１］の▲１▼▲３▼▲５▼▲７▼▲９▼▲１１▼を、被締結体を締結し終えた［請求項２］３（１）底面の中心角６０度線が中分けする［請求項２］３（１）の六つの側面にＬ型を形成するように９０度曲げる」と云う「［請求項２］＊（１）＝一連の無形最重要技術（ノウハウ・ソフトウエア）」を［請求項２］※５（１）に付加して【００４７】  ［請求項２］※７（１）を形成し、［請求項２］※７（１）を被締結体を締結し終えた［請求項２］３（１）に被せれば、［請求項２］※７（１）は［請求項２］３（１）底面の中心角６０度線が中分けする［請求項２］３（１）の六つの側面の左側１／２を抱き抱える【００４８】  ［００４７］を挿むように締め込む〔「［請求項２］８（１）」＝「［請求項１］８（１）・［請求項３］８（１）・［請求項４］８（１）に共通する構成品）」〕は、下記の技術を包含する。
（１）  外形は、［請求項２］３（１）と同一に形成し、「［請求項２］＊６（１）・［請求項２］＊１０（１）・［請求項２］＊１２（１）」を付加して［請求項２］※１３（１）に形成する技術を助長する、
（２）  前項（１）以外は、［請求項２］８（１）の底面の垂直軸上方向に［請求項２］２−１（１）のねじ山三つ分をしっく被りる中空円筒を形成、
（３）  前項（２）は、［請求項２］２−１（１）が被締結箇所の厚さ増に対応する巾を［請求項２］２−１（１）のねじ山三つ分増まで調整可能にし、
（４）  前項（３）の垂直軸上方向に［請求項２］２−１−１（１）に適合する逆雌ねじを形成する。
（５）  ［請求項２］８（１）に加えるトルクは、［請求項２］※１３（１）を挿み締め込むナットなので［請求項２］３（１）に加えるトルクより小さくて良い。【００４９】  ［００４８］で締め込んだ［００４７］は［請求項２］３（１）を固定し、［００４７］の稜と［請求項２］３（１）の稜は必然的に合致する。【００５０】  ［００４８］の段階で、［００４７］の稜が［００４６］の稜に合致しない場合は、［請求項２］＊１０（１）と［請求項２］※１１（１）の技術を付加・実施し［００４６］の稜と［００４７］の稜を合致させる、
この段階で、「［請求項２］３（１）・［請求項２］※１１（１）・［請求項２］８（１）」三構成品の全ての稜は合致する。【００５１】  次に、［図１］の▲２▼▲４▼▲６▼▲８▼▲１０▼▲１２▼を、［請求項２］※１１（１）を締め終えた［請求項２］８（１）底面の中心角６０度線が中分けする［請求項２］８（１）の六つの側面に［００４６］対比逆Ｌ型を形成するように９０度曲げる」と云う「［請求項２］＊１２（１）＝一連の無形最重要技術（ノウハウ・ソフトウエア）」を［請求項２］※１１（１）に付加して【００５２】  ［００５１］は、『［請求項２］８（１）底面の中心角６０度線が中分けする［請求項２］８（１）の六つの側面をしっくり抱き抱え「［請求項２］３（１）と［請求項２］８（１）を一体」に固定し［請求項２］３（１）を緩まなくした、［請求項２］※１３（１）を形成する。【００５３】  ［００５２］の解体は、「（［請求項２］※１３（１）」から（［請求項２］※７（１）まで各項の逆技術を実施して戻し、（［請求項２］※７（１）」を（［請求項２］２−１（１）」から撤去する．。【００５４】  ［００５３］は、安全を確保するため再使用しないで、新品に交換する。
【課題を解決するための手段】２−（２）【００５５】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００５６】  ［課題を解決するための手段］２−（２）［００５４］は、以下『（［請求項２］・［請求項２］・［請求項３］・［請求項４］）の「四つの異なるユニットシステム」を（１）又は（２）で構成する内の［請求項２］（２）を説明する。【００５７】  ［請求項２］２（１）と［請求項２］３（１）で被締結体を締結し、【００５８】  ｛〔『［請求項２］※１３（１）の形成を可能にさせた発明考案の原理、「無形の最重要技術（ノウハウ・ソフトウエア）＝［請求項２］＊４（１）」』〕＝〔『「［請求項２］※１３（１）を平面体に展開した［請求項２］※５（１）」をプレス切断する「プレス切断用金型」を製作する「プレス切断用金型製作法」』〕｝で【００５９】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体』［請求項２］※５（１）〕の、「［図１］※５（１）参照」【００６０】  ［図１］の▲２▼▲４▼▲６▼▲８▼▲１０▼▲１２▼を、被締結体を締結し終えた［請求項２］３（１）底面の中心角６０度線が中分けする［請求項２］３（１）の六つの側面にＬ型を形成するように９０度曲げる」と云う「［請求項２］＊６（１）＝一連の無形最重要技術（ノウハウ・ソフトウエア）」を［請求項２］※５（１）に付加して【００６１】  ［請求項２］※７（１）を形成させた［請求項２］※７（１）を、被締結体を締結し終えた［請求項２］３（１）に被せれば、［請求項２］※７（１）は［請求項２］３（１）底面の中心角６０度線が中分けする［請求項２］（１）の六つの側面の右側１／２をしっくり抱き抱える【００６２】  ［００６０］を挿むように締め込む『［請求項２］８（１）＝「［請求項２］８（１）・［請求項３］８（１）・［請求項４］８（１）に共通する構成品」』は、下記の技術を包含する、
（１）  外形は、［請求項２］３（１）と同一に形成し、「［請求項２］＊６（１）・［請求項２］＊１０（１）・［請求項２］＊１２（１）」を付加して［請求項２］※１３（１）に仕上がるのを助長し、
（２）  前項（１）以外は、［請求項２］８（１）の底面の垂直軸上方［請求項２］２−１（１）のねじ山三つ分をしっくり被る中空円筒を形成
（３）  前項（２）は、［請求項２］２−１（１）が被締結箇所の厚さ増に対応する巾を［請求項２］２−１（１）のねじ山三つ分増まで調整可能にし、
（４）  前項（３）の垂直軸上方向に［請求項２］２−１−１（１）に適合する逆雌ねじを形成、
（５）  ［請求項２］８（１）に加えるトルクは、［請求項２］※１３（１）を挿み締め込むナットなので［請求項２］３（１）に加えるトルクより小さくて良い。【００６３】  ［００６２］で締め込んだ［００６１］は［請求項２］３（１）を固定し、［００６１］の稜と［請求項２］３（１）の稜は必然的に合致する。【００６４】  ［００６３］の段階で、［００６２］の稜が［００６１］の稜に合致しない場合は、［請求項２］＊１０（１）と［請求項２］※１１（１）の技術を付加・実施し［００６１］の稜と［００６２］の稜を合致させる、
この段階で、「［請求項２］３（１）・［請求項２］※１１（１）・［請求項２］８（１）」三構成品の全ての稜は合致する。【００６５】  次に、［図１］の▲１▼▲３▼▲５▼▲７▼▲９▼▲１１▼を、『「［請求項２］※１１（１）を締め終えた［請求項２］８（１）底面の中心角６０度線が中分けする［請求項２］８（１）の六つの側面に［００６３］対比逆Ｌ型を形成するように９０度曲げる」と云う「［請求項２］＊１２（１）＝一連の無形最重要技術（ノウハウ・ソフトウエア）」』【００６６】  ［００６５］は、『［請求項２］８（１）底面の中心角６０度線が中分けする［請求項２］８（１）の六つの側面の右側１／２をしっくり抱き抱え「［請求項２］３（１）と［請求項２］８（１）を一体」に固定し［請求項２］３（１）を緩まなくした、［請求項２］※１３（１）を形成する。【００６７】  ［００６６］の解体は、「［請求項２］※１３（１）から［請求項２］※７（１）まで各項の逆技術を実施して［請求項２］※７（１）に戻し、（［請求項２］※７（１）を［請求項２］２−１（１）から撤去する．。【００６８】  ［００６７］は、安全を確保するため再使用しないで、新品に交換する。
【課題を解決するための手段】３−（１）【００６９】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００７０】  ［課題を解決するための手段］２−（２）［００６８］は、以下『（［請求項１］・［請求項２］・［請求項３］・［請求項４］）の「四つの異なるユニットシステム」を（１）又は（２）で構成する［請求項２］（２）を説明する。【００７１】  ［請求項２］２（２）と［請求項２］３（２）で被締結体を締結し、【００７２】  〔『［請求項２］※１３（２）の形成を可能にさせた発明考案の原理、「無形の最重要技術（ノウハウ・ソフトウエア）＝［請求項２］＊４（２）」』＝『「［請求項２］※１３（２）を平面体に展開した［請求項２］※５（２）」をプレス切断する「プレ  ス切断用金型」を製作する「プレス切断用金型製作法」』〕で【００７３】  製作した「プレス切断用金型」でプレス切断し形成した〔『四つの異なるシステム「［請求項１］※１３（２）・［請求項２］※１３（２）・［請求項３］※１３（２）・［請求項４］※１３（２）」に共通して用いることが可能な平面体に展開させ得た形成体』［請求項２］※５（２）〕の、「［図１］※５（２）参照」【００７４】  ［図１］の▲７▼▲８▼▲９▼▲１０▼▲１１▼▲１２▼を、被締結体を締結し終えた［請求項２］３（２）底面の中心角６０度線が中分けする［請求項２］３（２）の六つの側面にＬ型を形成するように９０度曲げる」と云う「［請求項２］＊６（２）＝一連の無形最重要技術（ノウハウ・ソフトウエア）」を［請求項２］※５（２）に付加して【００７５】  ［請求項２］※７（２）を形成させた［請求項２］※７（２）を、被締結体を締結し終えた［請求項２］３（２）に被せれば、［請求項２］※７（２）は［請求項２］３（２）底面の中心角６０度線が中分けする［請求項２］３（２）の六つの側面の右側１／２をしっくり抱き抱える【００７６】  ［００７５］を挿むように締め込む『［請求項２］８（２）＝「［請求項１］８（２）・［請求項３］８（２）・［請求項４］８（２）に共通する構成品」』は、下記の技術を包含する、
（１）  外形は、［請求項２］３（２）と同一に形成し、「［請求項２］＊６（２）・［請求項２］＊１０（２）・［請求項２］＊１２（２）」を付加して［請求項２］※１３（２）に仕上がるのを助長し、
（２）  前項（１）以外は、［請求項２］８（２）の底面の垂直軸上方向に［請求項２］２−１（２）のねじ山三つ分をしっくり被る中空円筒を形成、
（３）  前項（２）は、［請求項２］２−１（２）が被締結箇所の厚さ増に対応する巾を［請求項２］２−１（２）のねじ山三つ分増まで調整可能にし、
（４）  前項（３）の垂直軸上方向に［請求項２］２−１−１（２）に適合する逆雌ねじを形成、
（５）  ［請求項２］８（２）に加えるトルクは、［請求項２］※１３（２）を挿み締め込むナットなので［請求項２］３（２）に加えるトルクより小さくて良い。【００７７】  ［００７６］で締め込んだ［００７５］は［請求項２］３（２）を固定し、［００７５］の稜と［請求項２］３（２）の稜は必然的に合致する。【００７８】  ［００７７］の段階で、［００７６］の稜が［００７５］の稜に合致しない場合は、［請求項２］＊１０（２）と［請求項２］※１１（２）の技術を付加・実施し［００７５］の稜と［００７６］の稜を合致させる、
この段階で、「［請求項２］３（２）・［請求項２］※１１（２）・［請求項２］８（２）」三構成品の全ての稜は合致する。【００７９】  次に、［図１］の▲１▼▲２▼▲３▼▲４▼▲５▼▲６▼を、『「［請求項２］※１１（２）を締め終えた［請求項２］８（２）底面の中心角６０度線が中分けする［請求項２］８（２）の六つの側面に［００７７］対比逆Ｌ型を形成するように９０度曲げる」と云う「［請求項２］＊１２（２）＝一連の無形最重要技術（ノウハウ・ソフトウエア）」』を［請求項２］※１１（２）に付加して【００８０】  ［００７９］は、『［請求項２］８（２）底面の中心角６０度線が中分けする［請求項２］８（２）の六つの側面の右側１／２をしっくり抱き抱え「［請求項２］３（２）と［請求項２］８（２）を一体」に固定し［請求項２］３（２）を緩まなくした、［請求項２］※１３（２）を形成する。【００８１】  ［００８０］の解体は、「［請求項２］※１３（２）から［請求項２］※７（２）まで」各項の逆技術を実施して［請求項２］※７（２）に戻し、（［請求項２］※７（２）を［請求項２］２−１（２）から撤去する。【００８２】  ［００８１］は、安全を確保するため再使用しないで、新品に交換する。
【課題を解決するための手段】３−（２）【００８３】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００８４】  ［課題を解決するための手段］３−（２）［００８３］は、以下『（［請求項１］・請求項２］・［請求項３］・［請求項４］）の「四つの異なるユニットシステム」を（１）又は（２）で構成する内の［請求項３］（２）を説明する。【００８５】  ［請求項３］２（２）と［請求項３］３（２）で被締結体を締結し、【００８６】  〔『［請求項３］※１３（２）の形成を可能にさせた、発明考案の原理「無形の最重要技術（ノウハウ・ソフトウエア）」＝［請求項３］＊４（２）』＝『「［請求項３］※１３（２）を平面体に展開した［請求項３］※５（２）」をプレス切断する「プレス切断用金型」を製作する「プレス切断用金型製作法」』で【００８７】  製作した「プレス切断用金型」でプレス切断し形成した〔『四つの異なるシステム「［請求項１］※１３（２）・［請求項２］※１３（２）・［請求項３］※１３（２）・［請求項４］※１３（２）」に共通して用いることが可能な平面体に展開させ得た形成体』［請求項３］※５（２）〕の、「［図１］参照」【００８８】  ［図１］の▲２▼▲３▼▲６▼▲７▼▲１０▼▲１１▼数字を、被締結体を締結し終えた［請求項３］３（２）底面の中心角６０度線が中分けする［請求項３］３（２）の六つの側面にＬ型を形成するように９０度曲げる」と云う「［請求項３］＊６（２）＝一連の無形最重要技術（ノウハウ・ソフトウエア）」を［請求項３］※５（２）に付加して【００８９】  ［請求項３］※７（２）を形成させた［請求項３］※７（２）を、被締結体を締結し終えた［請求項３］３（２）に被せれば、［請求項３］※７（２）は［請求項３］３（２）底面の中心角６０度線が中分けする［請求項３］３（２）の六つの側面の右側１／２をしっくり抱き抱える【００９０】  ［００８９］を挿むように締め込む『［請求項３］８（２）＝「［請求項１］８（２）・［請求項２］８（２）・［請求項４］８（１２）に共通する構成品」』は、下記の技術を包含する、
（１）  外形は、［請求項３］３（２）と同一に形成し、「［請求項３］＊６（２）・［請求項３］＊１０（２）・［請求項３］＊１２（２）」を付加して［請求項３］※１３（２）に仕上がるのを助長し、
（２）  前項（１）以外は、［請求項３］８（２）の底面の垂直軸上方向に［請求項３］２−１（２）のねじ山三つ分をしっくり被る中空円筒を形成、
（３）  前項（２）は、［請求項３］２−１（２）が被締結箇所の厚さ増に対応する巾を［請求項３］２−１（２）のねじ山三つ分増まで調整可能にし、
（４）  前項（３）の垂直軸上方向に［請求項３］２−１−１（２）に適合する逆雌ねじを形成、
（５）  ［請求項３］８（２）に加えるトルクは、［請求項３］※１３（２）を挿み締め込むナットなので［請求項３］３（２）に加えるトルクより小さくて良い。【００９１】  ［００９０］で締め込んだ［００８９］は［請求項３］３（２）を固定し、［００９０］の稜と［請求項３］３（２）の稜は必然的に合致する。【００９２】  ［００９１］の段階で、［００９０］の稜が［００８９］の稜に合致しない場合は、［請求項３］＊１０（１）と［請求項３］※１１（１）の技術を付加・実施して［００８９］の稜と［００９０］の稜を合致させる。この段階で「［請求項３］３（２）・［請求項３］※１１（２）・［請求項３］８（２）」三構成品の全ての稜は合致する。【００９３】  次に、［図１］の▲４▼▲５▼▲８▼▲９▼▲１２▼▲１▼を、『「［請求項３］※１１（２）を締め終えた［請求項３］８（２）底面の中心角６０度線が中分けする［請求項３］８（２）の六つの側面に［００９２］対比逆Ｌ型を形成するように９０度曲げる」と云う「［請求項３］＊１２（２）＝一連の無形最重要技術（ノウハウ・ソフトウエア）」』を［請求項３］※１１（２）に付加して【００９４】  ［００９３］は、『［請求項３］８（２）底面の中心角で６０度ずれた１２０度線が中分けする［請求項３］８（２）の三つ稜に跨る左右側面１／２をしっくり抱き抱え「［請求項３］３（２）と［請求項３］８（２）を一体」に固定し［請求項３］３（２）を緩まなくした、［請求項３］※１３（２）を形成する。【００９５】  ［００９４］の解体は、「［請求項３］※１３（２）から［請求項３］※７（２）まで」各項の逆技術を実施して［請求項３］※７（２）に戻し、（［請求項３］※７（２）を［請求項３］２−１（２）から撤去する．。【００９６】  ［００９５］は、安全を確保するため再使用しないで、新品に交換する。
【課題を解決するための手段】４−（１）【００９７】  本発明は［００１２］に記述の目的を達成するために高度な技術を結集して発明考案した、〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【００９８】  ［課題を解決するための手段］４−（１）は、［００９７］以下『（［請求項１］・［請求項２］・［請求項３］・［請求項４］）の「四つの異なるユニットシステム」を（１）又は（２）で構成する内の［請求項４］（１）を説明する。【００９９】  ［請求項４］２（１）と［請求項４］３（１）で被締結体を締結し、【０１００】  〔『［請求項４］※１３（１）の形成を可能にさせた、発明考案の原理「無形の最重要技術（ノウハウ・ソフトウエア）」＝  ［請求項４］＊４（１）『「［請求項４］※１３（１）を平面体に展開した［請求項４］※５（１）」をプレス切断する「プレス切断用金型」を製作する「プレス切断用金型製作法」』で【０１０１】  製作した「プレス切断用金型」でプレス切断し形成した〔『四つの異なるシステム「［請求項１］※１３（１）・［請求項２］※１３（１）・［請求項３］※１３（１）・［請求項４］※１３（１）」に共通して用いることが可能な平面体に展開させ得た形成体』［請求項４］※５（１）〕の、「［図１】※５（１）参照」【０１０２】  ［図１］の▲１▼▲２▼▲５▼▲６▼▲９▼▲１０▼を、被締結体を締結し終えた［請求項４］３（１）底面の中心角１２０度線が中分けする［請求項４］３（１）の三つの辺の側面にＬ型を形成するように９０度曲げる」と云う「［請求項４］＊６（１）＝一連の無形最重要技術（ノウハウ・ソフトウエア）」を［請求項４］※５（１）に付加して【０１０３】  ［請求項４］※７（１）を形成させた［請求項４］※７（１）を、被締結体を締結し終えた［請求項４］３（１）に被せれば、［請求項４］※７（１）は［請求項４］３（１）底面の中心角６０度線が中分けする［請求項４］３（１）の六つの側面の右側１／２をしっくり抱き抱える【０１０４】  ［０１０３］を挿むように締め込む『［請求項４］８（１）＝「［請求項１］８（１）・［請求項２］８（１）・［請求項３］８（１）に共通する構成品」』は、下記の技術を包含する、
（１）  外形は、［請求項４］３（１）と同一に形成し、「［請求項４］＊６（１）・［請求項４］＊１０（１）・［請求項４］＊１２（１）」を付加して［請求項４］※１３（１）に仕上がるのを助長し、
（２）  前項（１）以外は、［請求項４］８（１）の底面の垂直軸上方向に［請求項４］２−１（１）のねじ山三つ分をしっくり被る中空円筒を形成、
（３）  前項（２）は、［請求項４］２−１（１）が被締結箇所の厚さ増に対応する巾を［請求項４］２−１（１）のねじ山三つ分増まで調整可能にし、
（４）  前項（３）の垂直軸上方向に［請求項４］２−１−１（１）に適合する逆雌ねじを形成、
（５）  ［請求項４］８（１）に加えるトルクは、［請求項４］※１３（１）を挿み締め込むナットなので［請求項４］３（１）に加えるトルクより小さくて良い。【０１０５】  ［０１０４］で締め込んだ［０１０３］は［請求項４］３（１）を固定し、［０１０３］の稜と［請求項３］３（１）の稜は必然的に合致する。【０１０６】  ［０１０５］の段階で、［０１０４］の稜が［０１０３］の稜に合致しない場合は、［請求項４］＊１０（１）と［請求項４］※１１（１）の技術を付加・実施して［０１０３］の稜と［０１０４］の稜を合致させる。この段階で「［請求項４］３（１）・［請求項４］※１１（１）・［請求項４］８（１）」三構成品の全ての稜は合致する。【０１０７】  次に、［図１］の▲３▼▲４▼▲７▼▲８▼▲１１▼▲１２▼を、『「［請求項４］※１１（１）を締め終えた［請求項４］８（１）の三つの側面に［０１０６］］対比逆Ｌ型を形成するように９０度曲げる」と云う「［請求項４］＊１２（１）＝一連の無形最重要技術（ノウハウ・ソフトウエア）」』を［請求項４］※１１（１）に付加・実施して【０１０８】  ［００１０７］は［０１０６］］対比逆Ｌ型を形成し、［請求項４］８（１）の三つの側面をしっくり抱き抱え「［請求項４］３（１）と［請求項４］８（１）を一体」に固定し［請求項４］３（１）を緩まなくした、［請求項４］※１３（１）を形成する。【０１０９】  ［０１０８］の解体は、「［請求項４］※１３（１）から［請求項４］※７（１）まで」各項の逆技術を実施して［請求項４］※７（１）に戻し、（［請求項４］※７（１）を［請求項４］２−１（１）から撤去する。【０１１０】  ［０１０９］は、安全を確保するため再使用しないで、新品に交換する。
【課題を解決するための手段】４−（２）【０１１１】  本発明は［００１２］の目的を達成するために、高度な技術を結集して発明考案した〔「一連の無形最重要技術（ノウハウ・ソフトウエア）１件」と『「一連の有形最重要技術１件」と「有形の重要技術３件」の計４件』合計５件〕で構成した「解体可能で緩まないユニットシステムボルト・ナット」である。【０１１２】  ［課題を解決するための手段］４−（２）［０１１１］は、以下『（［請求項１］・［請求項２］・［請求項３］・［請求項４］）の「四つの異なるユニットシステム」を（１）又は（２）で構成する［請求項４］（２）を説明する。【０１１３】  ［請求項４］２（２）と［請求項４］３（２）で被締結体を締結し、【０１１４】  〔『［請求項４］※１３（２）の形成を可能にさせた、発明考案の原理「無形の最重要技術（ノウハウ・ソフトウエア）」＝  ［請求項４］＊４（２）』『「［請求項４］※１３（２）を平面体に展開した［請求項４］※５（２）」をプレス切断する「プレス切断用金型」を製作する「プレス切断用金型製作法」』で【０１１５】  製作した「プレス切断用金型」でプレス切断し形成した〔『四つの異なるシステム「［請求項１］※１３（２）・［請求項２］※１３（２）・［請求項３］※１３（２）・［請求項４］※１３（２）」に共通して用いることが可能な平面体に展開させ得た形成体』［請求項４］※５（２）〕の、「［図１］※５（２）参照」【０１１６】  ［図１］の▲１▼▲２▼▲５▼▲６▼▲９▼▲１０▼を、被締結体を締結し終えた［請求項４］３（２）底面の中心角６０度線が中分けする［請求項４］３（２）の六つの側面にＬ型を形成するように９０度曲げる」と云う「［請求項４］＊６（２）＝一連の無形最重要技術（ノウハウ・ソフトウエア）」を［請求項４］※５（２）に付加・実施して【０１１７】  ［請求項４］※７（２）を形成させた［請求項４］※７（２）を、被締結体を締結し終えた［請求項４］３（２）に被せれば、［請求項４］※７（２）は［請求項４］３（２）底面の中心角６０度線が中分けする［請求項４］３（２）の六つの側面の右側１／２をしっくり抱き抱える【０１１８】  ［０１１７］を挿むように締め込む『［請求項４］８（２）＝「［請求項１】８（２）・［請求項２］８（２）・［請求項３］８（２）に共通する構成品」』は、下記の技術を包含する、
（１）  外形は、［請求項４］３（２）と同一に形成し、「［請求項４］＊６（２）・［請求項４］＊１０（２）・［請求項４］＊１２（２）」を付加して［請求項４］※１３（２）に仕上がるのを助長し、
（２）  前項（１）以外は、［請求項４］８（２）の底面の垂直軸上方向に［請求項４］２−１（２）のねじ山三つ分をしっくり被る中空円筒を形成、
（３）  前項（２）は、［請求項４］２−１（２）が被締結箇所の厚さ増に対応する巾を［請求項４］２−１（２）のねじ山三つ分増まで調整可能にし、
（４）  前項（３）の垂直軸上方向に［請求項４］２−１−１（２）に適合する逆雌ねじを形成、
（５）  ［請求項４］８（２）に加えるトルクは、［請求項４］※１３（２）を挿み締め込むナットなので［請求項４］３（２）に加えるトルクより小さくて良い。【０１１９】  ［０１１８］で締め込んだ［０１１７］は［請求項４］３（２）を固定し、［０１１７］の稜と［請求項２］３（２）の稜は必然的に合致する。【０１２０】  ［０１１９］の段階で、［０１１８］の稜が［０１１７］の稜に合致しない場合は、［請求項４］＊１０（２）と［請求項４］※１１（２）の技術を付加・実施して［０１１７］の稜と［０１１８］の稜を合致させる。この段階で「［請求項４］３（２）・［請求項４］※１１（２）・［請求項４］８（２）」三構成品の全ての稜は合致する。【０１２１】  次に、［図１］の▲３▼▲４▼▲７▼▲８▼▲１１▼▲１２▼を、『「［請求項４］※１１（２）を締め終えた［請求項４］８（２）底面の中心角６０度線が中分けする［請求項４］８（２）の六つの側面に［００６２］対比逆Ｌ型を形成するように９０度曲げる」と云「［請求項４］＊１２（２）＝一連の無形最重要技術（ノウハウ・ソフトウエア）」』を［請求項４］※１１（２）に付加して【０１２２】  ［０１２１］は、『［請求項４］８（２）底面の中心角６０度線が中分けする［請求項４］８（２）の六つの側面の右側１／２をしっくり抱き抱え「［請求項４］３（２）と［請求項４］８（２）を一体」に固定し［請求項４］３（２）を緩まなくした、［請求項４］※１３（２）を形成する。【０１２３】  ［０１２２］の解体は、「［請求項４］※１３（２）から［請求項４］※７（２）まで」各項の逆技術を実施して［請求項４］※７（２）に戻し、（［請求項４］※７（２）を［請求項４］２−１（２）から撤去する．。【０１２４】  ［０１２３］は、安全を確保するため再使用しないで、新品に交換する。
【図面の簡単な説明】
【０１２５】
【図１】本発明の解体可能で緩まないユニットシステムボルト・ナットを示す平面図、正面図、側面図、代表図である。